(57)【要約】【課題】サーマルヘッドとプラテンローラが分離するプリンタモジュールを使用したレストランプリンタにおいて、感熱ロール紙の紙負荷を軽減し、セット性に左右される感熱ロール紙のたるみが引き起こす紙送り不良や左右端面の折れ曲がりを無くす構造を備えたレストランプリンタを提供する。【解決手段】感熱ロール紙交換用の前扉側にシャフトユニットを設け、そのシャフトユニットが、感熱ロール紙の自重で可動することによりレストランプリンタを小型化し、前扉内側という視認の容易な部分にそのシャフトユニットを設けることで、交換作業性に優れ、且つ装着時感熱ロール紙のたるみが発生しても印字を開始することで、自動的にたるみがなくなるよう安定した感熱ロール紙の中心を貫通したシャフトを備えるレストランプリンタ。【選択図】  図２
2004306356.tif 000002
【特許請求の範囲】
【請求項１】
紙排出口が前面に配置され、使用する感熱ロール紙を交換するための扉も前記紙排出口と同一面の前面に配置されているプリンタにおいて、感熱ロール紙の交換時に開閉する前記扉の内側に、感熱ロール紙を回転可能に保持する回転軸を設けたことを特徴とするプリンタ。
【請求項２】
前記感熱ロール紙の交換時に開閉する前扉の内側に設けた感熱ロール紙の回転軸は樹脂製で、その回転軸そのものを支えるアーム部分と安定した強度を保持するための台座部分の３部分が一体化した成型物であり、高強度でありながら重量を軽くしたことを特徴とする請求項１に記載のプリンタ。
【請求項３】
前記感熱ロール紙の交換時に開閉する前扉の内側に設けた感熱ロール紙の回転軸は、前記扉内側に取り付ける台座部分に回転可能な形状を有し、前記扉内側に取り付けた際、プリンタ本体の筐体の下部中心に回転する前記扉と同じ方向に回転する可動可能な構造であることを特徴とする請求項１に記載のプリンタ。
【請求項４】
前記感熱ロール紙の回転軸の前扉内側に取り付ける台座部分の回転可能な構造と反対側に位置するプリンタ本体の筐体側に、ばねを備え、前記扉が開いている時に、無負荷では前記感熱ロール紙の回転軸は浮き上がっており、感熱ロール紙の有無により自動的に位置が変ることを特徴とする請求項１に記載のプリンタ。
【請求項５】
可動式でありながら、前記扉が閉まっている時は自動的に固定されるよう、プリンタ本体にストッパを設けたことを特徴とする請求項１に記載のプリンタ。
【請求項６】
前記扉の内側の感熱ロール紙の回転軸は、前記扉が開いている時は、片側のみの支持固定であるが、前記扉が閉まっている時は両端支持となり回転軸を安定させるようにプリンタ本体に突起部を形成したことを特徴とする請求項１に記載のプリンタ。
【発明の詳細な説明】
【０００１】
【発明の属する技術分野】
本発明は、例えば、外食店舗（レストラン、居酒屋、ファーストフード等）内において、客からの注文内容を料理担当者に対し調理指示伝票として印字出力する調理指示伝票出力用のプリンタや、客への精算内容を会計伝票として印字出力する会計伝票出力用のプリンタに関し、特に該プリンタ内に収納する記録用紙の収納構造に関する。
【０００２】
【従来の技術】
従来から、レストラン、居酒屋あるいはホテル等では無線式注文データ管理装置が使用されている。無線式注文データ管理装置の一例を概略説明すると、接客担当者が客から料理の注文を受けた場合、携帯している注文入力装置に、テーブル番号等とともに注文を受けた各メニューを入力する。
【０００３】
この入力された注文データは、前記注文入力装置から無線送信される。前記無線送信された注文データは、店舗内の各コーナー等に設置された無線制御装置によって受信され、各種データの処理や一元管理等を行うデータ管理装置に出力される。前記データ管理装置では、前記注文データ及び該注文データを受信した時刻、接客担当者を識別する番号等の情報を記憶装置に記憶する。
【０００４】
そして、厨房に設置されたレストランプリンタから調理指示用の伝票を印刷出力して、調理担当者に調理の指示を送る。また一方、客室近傍に設置された別なレストランプリンタから会計用伝票が印刷出力され、これは接客担当者により客に手渡される。
【０００５】
調理担当者は調理指示伝票に従って調理を開始し、調理完了するとその旨を接客担当者に通知する。これにより、接客担当者は注文を受けた客に調理を運んで配膳することになる。（例えば、非特許文献１参照。）
これらのレストランプリンタは、上記のように通信手段として無線を用いたものや有線を用いたものがあり、調理指示用の伝票を印刷出力する調理指示伝票用レストランプリンタも会計用伝票を印刷出力する会計伝票用レストランプリンタも、その構造は基本的に同じであり、印字内容が用途に応じて出力されるように印字内容を制御する電気的制御回路部分が相違するだけである。
【０００６】
以下に、無線方式のレストランプリンタを一例として説明する。
【０００７】
図５は、従来のレストランプリンタの内部構造を模式的に示す構造図である。この図に示すように、これらのレストランプリンタ４０は、通信手段として無線部４１９を装備し、印字部分はサーマルヘッドを有するプリンタモジュール４３０を備えている。
【０００８】
このプリンタモジュール４３０は、以下に説明するように、ロール状の感熱ロール紙４０２をロール紙収納部４３１に収納する際に、交換用扉４１１を開くことにより、サーマルヘッド４０６に対するプラテンローラ４０７の押圧状態が開放されるプラテンローラー脱着方式の構造となっている。また、このサーマルプリンタモジュール４３０は、印字した部分を余分な余白無しに最適な長さに切断するオートカッタ４０４も装備している。
【０００９】
配置的には、ロール紙収納部４３１に収納された感熱ロール紙の上部に印字用のサーマルヘッド４０６を有したサーマルプリンタモジュール４３０があり、そのサーマルプリンタモジュール４３０の紙排出口４０５の近傍に前記のオートカッタ４０４が取り付けられている。このオートカッタ４０４は、感熱ロール紙４０２の走行方向に対し垂直に切断するためのシャーリング式の可動刃４０８が、感熱ロール紙４０２の上方からほぼ垂直に降りてきて、感熱ロール紙４０２の下部に位置している固定刃４０９とかみ合わさることで切断する構造になっている。
【００１０】
印字して切断された紙の排出口と感熱ロール紙の交換用扉４１１は、レストランプリンタの前面部に位置している構造となっており、この交換用扉４１１はレストランプリンタ本体の前面最下部のヒンジ部４１２を介して開閉可能に連結されている。この交換用扉４１１の内側には、印字時、サーマルヘッド４０６を押圧するプラテンローラ４０７と、印字した部分を余分な余白無しに最適な長さに切断するオートカッタ４０４の固定刃４０９とが取り付けられている。
【００１１】
そのため、感熱ロール紙等の交換時、交換用扉４１１を開くと、感熱ロール紙４０２をサーマルヘッド４０６とプラテンローラ４０７とではさみこみながら印字していた状態から、サーマルヘッド４０６とプラテンローラ４０７とが分離した状態となり、前記印字したサーマル紙を最適な長さに切断するオートカッタ４０４のサーマル紙搬送経路が完全に開放されることになる。
【００１２】
これは、サーマルヘッド４０６を有したプリンタモジュール４３０が、レストランプリンタ本体側に取り付けられているサーマルヘッド４０６と交換用扉４１１側に取り付けられているプラテンローラ４０７とが分離し、同じようにレストランプリンタ本体側に取り付けられたオートカッタ４０４の可動刃４０８と交換用扉４１１側に取り付けられている固定刃４０９が分離可能な構造となっている為である。
【００１３】
従って感熱ロール紙４０２の交換は、交換用扉４１１を開き感熱ロール紙４０２をレストランプリンタ本体側のサーマルヘッド４０６を有したプリンタモジュール４３０の下部に設けられたロール紙収納部４３１に感熱ロール紙４０２を落とし込むように挿入し、交換用扉４１１を閉じた時に排出口４０５から前記感熱ロール紙４０２の先頭部分が（感熱ロール紙の使いはじめ部分）十分に出る長さまで引き出して交換用扉４１１を閉じる。
【００１４】
この交換用扉４１１を閉じることによって、レストランプリンタ本体側に取り付いているサーマルヘッド４０６を交換用扉４１１に取り付いているプラテンローラ４０７が押圧し、印字可能な状態となる。同様に、レストランプリンタ本体側に取り付いているオートカッタ４０４の可動刃４０８と交換用扉４１１側に取り付いている固定刃４０９も通常のシャーリング方式のオートカッタの基本構造である可動刃と固定刃の位置関係が成り立ち、感熱ロール紙４０２を適宜の長さに切断することが可能な状態となる。
【００１５】
従って、印字する際、このプラテンローラ４０７が回転することにより感熱ロール紙４０２が搬送される。この感熱ロール紙４０２が排出口４０５方向に搬送されると、ロール状に巻かれた感熱ロール紙４０２は、ロール紙収納部４３１内で感熱ロール紙４０２の外周が滑るようにして回転する（例えば、特許文献１参照。）。
【００１６】
【非特許文献１】
会田邦弘・浅川明著「オーダーシステムが外食産業を変える」泉文堂、１９９９年２月２０日、Ｐ１７
【００１７】
【特許文献１】
特開２００１−２９３９２７号公報
【００１８】
【発明が解決しようとする課題】
従来のような感熱ロール紙交換時、交換用扉を開くことにより印字用サーマルヘッドとプラテンローラ、可動刃と固定刃がそれぞれ分離するレストランプリンタにおいて、感熱ロール紙の保持が特になく、ロール紙収納部のくぼみに置かれた感熱ロール紙がロールの外周で滑ることによって回転する構造では、印字時プリンタモジュール側から見た場合、感熱ロール紙の給紙つまり引き込み力に対し感熱ロール紙のロール外周部とレストランプリンタ本体側の感熱ロール紙設置部（ロール紙収納部）のくぼみの部分との摩擦による負荷が大きく、その分プラテンローラを回転駆動させるモーターもより強力なトルクが必要になる。
【００１９】
多くの場合、その対策として、感熱ロール紙のロール外周部とレストランプリンタ本体側の感熱ロール紙設置部（ロール紙収納部）のくぼみの部分の接触する部分に摩擦負荷軽減のために回転ローラーを設ける場合もある。しかしながらこの方法では、滑らかに回転するローラーという構成部品が増えるうえに、このローラー上を感熱ロール紙が回転した場合、ロール自体の巻きたるみが発生する。
【００２０】
この巻きたるみが発生した場合、ロール状に巻かれた感熱ロール紙は、自重でレストランプリンタ本体側の感熱ロール紙設置部（ロール紙収納部）のくぼみの部分に下面で接触しているため、たるみは感熱ロール紙の上方にたるんでいく傾向にある。
【００２１】
本発明に係るレストランプリンタは、厨房や接客者控え室といった比較的狭い場所に設置されるものであり、しかも設置スペースは極力少なくなるように設置したいとの店舗ニーズがある。そのために、設置スペースが小さい図５中のＡ面側を底面とした縦長の姿勢で設置可能な構造とし、しかも、感熱ロール紙の交換も容易なように操作性を考慮して、図５中のＤ面側に感熱ロール紙交換用の扉を設けているものである。
【００２２】
例えば、コンビニエンスストアやスーパーマーケットで使用されているＰＯＳレジシステムでは、同様のサーマルプリンタがＰＯＳレジシステムに組み込まれて使用されているが、このサーマルプリンタは操作性及び設置の容易性を考慮して、図５中のＢ面側が下方になるように設置され、感熱ロール紙交換用の扉、即ちＤ面側が上方になるように設けられている。
【００２３】
このように本発明に係るレストランプリンタと上記のようなＰＯＳレジシステムに組み込まれて使用されているサーマルプリンタとは、一見、設置する姿勢のみが異なるように見えがちであるが、設置する姿勢が異なることにより、内部に収納する感熱ロール紙の収納状態が異なって、それに起因する以下に説明するような課題がある。
【００２４】
ＰＯＳレジシステムに組み込まれて使用されているサーマルプリンタに見られるような、感熱ロール紙の交換時に扉を上方向へ開く構造では、収納した感熱ロール紙のたるみが上に発生しても十分に空間的に十分な余裕があり、また感熱ロール紙と印字用プリンタモジュールの位置関係も横方向へ並列して設置できることもあり、感熱ロール紙を搬送する角度も垂直方向より小さくできる。
【００２５】
これは、下面が接触している感熱ロール紙を引っ張ったとき多少でも横方向の力が働くため、プリンタモジュールのプラテンローラが給紙するための負荷が軽減される。また、角度的に感熱ロール紙の引っ張りを受ける部分が垂直より上方向に広がっているため、たるみも規制を受けることなく上方向に扇形に広がることができる。また、たるみの最も大きい感熱ロール紙の上方頂点部分にプリンタモジュールの給紙ガイドがないためたるんだ部分を引き込むこともない。
【００２６】
本発明に係るレストランプリンタのような構造では、前述したように感熱ロール紙の上部に印字ヘッドを有したプリンタモジュールがあり、そのプリンタモジュールの紙排出口の近傍にオートカッタが取り付けられている。このオートカッタは、感熱ロール紙の搬送方向に対し垂直に切断するためのシャーリング式の可動刃が、感熱ロール紙の上方からほぼ垂直に降りてきて、感熱ロール紙の下部に位置している固定刃とかみ合わさることで切断する構造になっている。
【００２７】
印字して切断された紙の排出口と感熱ロール紙の交換用扉は、レストランプリンタの前面（図５中、Ｄ面側）に位置している構造となっており、この交換用扉はレストランプリンタ本体のＤ面最下部のヒンジ部を介して開閉可能に連結されている縦方配置であるため、プリンタモジュールが、感熱ロール紙を紙送りしたとき、垂直方向より交換用扉（Ｄ面）側へ引っ張るため、感熱ロール紙を交換用扉（Ｄ面）側へ引き寄せる力が加わる。
【００２８】
これにより感熱ロール紙のたるみの空間が縮小され、許容できるたるみ量に限度ができる。限度を超えたたるみ量になると、そのたるんだ感熱ロール紙は自由が効かなくなり、感熱ロール紙の前方上部（交換用扉側）とプリンタモジュールから引っ張られている感熱ロール紙の部分に挟まれ最終的にプリンタモジュールの給紙口に入り込み、感熱ロール紙の片側から引っ張ることによって回転して給紙を行っていた状態が、感熱ロール紙を両方から引っ張る形となり、回転できなくなる。
【００２９】
またプリンタモジュールは、回転できない感熱ロール紙を更に給紙口から引っ張り込もうとするが、給紙口に感熱ロール紙のロール自体が入ることは不可能なため、引き込み力に対する負荷がプラテンローラを駆動するモーターのトルクより大きくなり、完全にロックしてしまう。
【００３０】
このメカニズムの回避策として、感熱ロール紙のたるみを十分許容できるだけの空間を設けることが可能ならばそれでも問題は無いのだが、たるみは、感熱ロール紙の給紙負荷の軽減策として用いるような前述の回転ローラを使用した場合のみでなく、ユーザーが感熱ロール紙を交換する際、たるみが生じた感熱ロール紙をそのままの状態でロール紙収納部にセットするという可能性もあり、たるみ量としては制御するのは不可能である。
【００３１】
しかも、レストランプリンタは、設置スペースの減少化を達成するための商品開発として小型化は必要条件であるため、たるみ量を許容できる空間の増加は、この場合得策ではない。また、このたるみにより感熱ロール紙の左右方向を規制している感熱ロール紙設置部分（ロール紙収納部）の横壁による効果も無くなり、印字、切断し排出された感熱ロール紙（伝票等）の片側のみ感熱ロール紙の端面部分がつぶれてしまう。
【００３２】
これは、たるんだ状態の感熱ロール紙は、１枚から数枚の部分で、無理に横方向のずれを規制しようという力が働き、感熱紙のこしが耐え切れなくており曲がったためである。このように店舗内での使用中、特に繁忙期に感熱ロール紙を交換することになった場合、確実にたるみなく感熱ロール紙をセットするのは不可能であり、そのたるみが原因で印字した顧客へ提出する伝票の端が折れ曲がる場合があり、品質的にも不十分である。また、感熱ロール紙をロール紙収納部内のくぼみに感熱ロール紙の左右両端面を規制するように収納し、ロール外周面を接触させ回転させるような構造では、感熱ロール紙のセット時にたるみを作ってしまうと次の交換時まで無くならないといった状況となる。
【００３３】
そこで本発明は、感熱ロール紙のロール外周面を接触させて回転させる構造ではなく、感熱ロール紙の紙芯部分にレストランプリンタに固設されたシャフトを通すことにより保持し、その保持構造物は交換用扉側に備えることにより、安定した紙送り、感熱ロール紙の交換性、装置の小型化が可能なレストランプリンタを提供することを課題とするものである。
【００３４】
【課題を解決するための手段】
上記課題を解決するために、本発明レストランプリンタは、まず、感熱ロール紙保持部を交換用扉の内側に設け、感熱ロール紙交換の際、視覚的に容易に見え、前記作業上手前で作業でき、誤操作する要因を減らした。
【００３５】
つまり、交換用扉の内側に強度十分なアームと感熱ロール紙の紙芯に通すシャフトとアームを支える台座とを一体化した構成部品が、１本の回転シャフトで交換用扉のフレームに固定されており、しかも回転可能な構造とした。さらに一体化した強度十分なアームと感熱ロール紙の紙芯に通すシャフトとアームを支える台座は、感熱ロール紙が装着されてない時は、ばねにより付勢されて交換用扉内側に取り付けられたプラテンローラ側へ押し付けられており、装着するとその感熱ロール紙の自重で押し戻され、交換用扉のフレームに密着する構造になっている。このような構造にすることにより、未使用感熱ロール紙を容易にシャフトに挿入して設置することができる。
【００３６】
感熱ロール紙を装着する際は、その感熱ロール紙の紙芯に通すシャフトは片持ち状態であるが、交換用扉を閉じて実際に印字をするときは、レストランプリンタ本体側により保持するためシャフトは両持ち状態になり安定する構造とした。また、交換用扉を閉じた際、感熱ロール紙の自重だけで密着していた一体化した強度十分なアームと感熱ロール紙の紙芯に通すシャフトとアームを支える台座も固定されるため印字時は完全な固定のシャフトとなるような構造とした。
【００３７】
【発明の実施の形態】
本発明の実施の形態について、図面に基づいて以下に説明する。
【００３８】
図１は、本発明に係るレストランプリンタ装置の断面図であり、図２は、その斜視図である。本レストランプリンタ装置は、レストラン、居酒屋、ホテルあるいはファーストフード等で用いられ、注文データ管理装置の一部を構成する装置の中のデータ出力装置であり、まず、この注文データ管理装置の全体構成、及びその使用例について概略説明する。
【００３９】
無線方式の注文データ管理装置を一例として取り上げ、その使用例を説明する。なお、本発明のレストランプリンタは無線方式のものに限定されるものではなく、有線方式のものであっても適用可能である。
【００４０】
接客担当者が客から料理の注文を受けた場合、携帯している注文入力装置に、テーブル番号等とともに注文を受けた各メニューを入力する。この入力された注文データは、前記注文入力装置から無線送信される。前記無線送信された注文データは、店舗内の各コーナー等に設置された制御装置によって受信され、各種データの処理や一元管理等を行うデータ管理装置であるレストランプリンタに出力される。前記データ管理装置では、前記注文データ及び該注文データを受信した時刻、接客担当者を識別する番号等の情報を記憶装置に記憶する。
【００４１】
そして、厨房に設置されたレストランプリンタから調理指示用の伝票を印刷出力して、調理担当者に調理の指示を送る。また、会計用伝票が別の異なるレストランプリンタから印刷出力され、これは接客担当者により客に手渡される。調理担当者は調理指示伝票に従って調理を開始し、調理完了するとその旨を接客担当者に通知する。これにより、接客担当者は注文を受けた客に調理を運んで配膳することになる。なお、説明した無線方式の他に、電磁誘導コイルを用いて注文データの送受信を行う電磁誘導方式の注文入力装置もある。
【００４２】
以上のようにして用いられる本レストランプリンタ装置は、前記データ管理装置での、前記注文データ及び該注文データを受信した時刻、接客担当者を識別する番号等の情報を記憶した記憶装置から送られた情報を無線により受け取り、前記記憶装置からの指示に従って、調理指示用に伝票を出力する。また、客室近傍に設置されたレストランプリンタには、顧客に渡す会計用伝票を出力する。
【００４３】
そこで、図１に示すように、前記記憶装置からの情報をアンテナ１１９で受け、制御基板１２０で処理し、印字は、プリンタモジュール１０３に、切断はオートカッタ１０４にそれぞれ指示を送る。従ってそれぞれ用途の異なる伝票出力であるが、基本は同じサーマル印字で、ロール状に巻かれた使用前の感熱ロール紙１０２をレストランプリンタ本体１０１の内部に格納でき、その上部に印字用のプリンタモジュール１０３を配置し、伝票内容を印字した感熱ロール紙を伝票の形にするために切断するオートカッタ１０４が前記プリンタモジュール１０３の伝票排出口１０５側に設けられている。
【００４４】
オートカッタ１０４で切断した伝票は、レストランプリンタ装置１０１の伝票排出口１０５から排出（出力）される。またこのプリンタモジュール１０３は、印字用ヘッド１０６と印字時感熱ロール紙を挟みこみ押さえつける働きをするプラテンローラー１０７とが分離可能な構造のものであり、同じようにこのオートカッタ１０４も可動可能な可動刃１０８と固定刃１０９が分離可能な構造のものである。このオートカッタ１０４は感熱ロール紙１０２の伝票排出口近傍の走行方向に対し垂直に切断するためのシャーリング式の可動刃１０８が、印字された感熱ロール紙１１０の上方からほぼ垂直に降りてきて、印字された感熱ロール紙１１０の下部に位置している固定刃１０９とかみ合わさることで切断する構造になっている。
【００４５】
印字して切断された紙の排出口１０５（本レストランプリンタ装置の伝票排出口１０５）と、感熱ロール紙の交換を行うために開閉自在に設けられた交換用扉１１１は、レストランプリンタの前面に位置している構造となっており、交換用扉１１１はレストランプリンタ本体１０１の前面最下部のヒンジ１１２部を介して開閉可能に連結されている。この交換用扉１１１の内側には、印字時、サーマルヘッド１０６に感熱ロール紙を押さえつけているプラテンローラ１０７と印字した部分を余分な余白無しに最適な長さに切断するオートカッタ１０４の固定刃１０９が取り付けられている。
【００４６】
そのため感熱ロール紙１０２等の交換時、レストランプリンタ本体１０１の下部に位置するヒンジ１１２を支点として回転することにより、交換用扉１１１を開くと感熱ロール紙を印字ヘッド１０６とプラテンローラ１０７ではさみこみながら印字し、前記印字したサーマル紙を最適な長さに切断するオートカッタ１０４のサーマル紙搬送経路が完全に開放されることになる。
【００４７】
これは、前記のように印字ヘッド１０６を有したプリンタモジュール１０３が、レストランプリンタ本体１０１側に取り付けられている印字ヘッド１０６と交換用扉１１１側に取り付けられているプラテンローラ１０７に分離し、同じようにレストランプリンタ本体１０１側に取り付けられたオートカッタ１０４の可動刃１０８と前扉１１１側に取り付けられている固定刃１０９が分離可能な構造である為である。
【００４８】
また、感熱ロール紙１０２の紙芯１１３を保持するシャフト１１４は感熱ロール紙１０２を回転させるためのそれを保持するアーム部分１１５とその土台となる台座部分１１６が一体化しており、交換用扉１１１のフレーム１１７にシャフト１１８で固定されその部分は、回転可能な構造となっている。これは、交換用扉を閉めた時、つまりレストランプリンタが印字動作中に収まっていなければならない感熱ロール紙の位置（図１の実線）と、感熱ロール紙の交換時に交換用扉が開かれた時、感熱ロール紙をスムーズにセットできる位置１２８が、レストランプリンタ本体１０１の前面最下部のヒンジ１１２の回転だけでは、一致しないためである。
【００４９】
つまり、印字時に必要な感熱ロール紙の位置のままでは、未使用（新品）時の感熱ロール紙１２９をシャフト１１４に挿入しようとすると、感熱ロール紙１２９の外形が大きいため、無線プリンタ１０１の筐体に干渉（斜線部分）１２１し、交換用扉１１１を９０°開いた状態では取り付けられない。また、感熱ロール紙の装着という前記条件を満足する位置（感熱ロール紙１２８の位置）で前扉１１１を閉じるとレストランプリンタ１０１筐体内に納まりきれず、これを満足させるためには、感熱ロール紙の紙芯（感熱ロール紙の回転中心）であるシャフト１１４とプリンタモジュール１０３の距離を増やせばよいのだが、小型化を実現させるためには、その距離はふやせないという問題がある。
【００５０】
そのために、交換用扉を開いた時に、未使用（新品）の感熱ロール紙１２０を容易に装着できるように、一体化したシャフト１１４、アーム１１５、台座１１６を未使用（新品）の感熱ロール紙１２０の装着が可能で且つ容易な位置（実線部分）まで動かす構造とした。
【００５１】
以下、図３に基づいて説明する。このシャフト１１４、アーム１１５、台座１１６は、一体化した成形品にすることで、感熱ロール紙の回転負荷の軽減としてシャフト１１４部分に回転する別部品を使用することなく、回転負荷を下げることができる。また、前記一体化した台座１１６の動きを説明すると、交換用扉１１１が開時、しかも感熱ロール紙が無い場合、シャフト１１８を支点にばね１２２により前扉１１１のフレーム１１７より浮き上がった位置にあり、フレーム１１７のストッパ部１２３に台座１１６のストッパ１２４部が押し当てられている。
【００５２】
つまりこの状態の時、未使用（新品）の感熱ロール紙１２０を図手前よりシャフト１１４に挿入するのに十分な空間があり、レストランプリンタ１０１の筐体に干渉することもない。また、感熱ロール紙の有無によって一体化した、台座１１６の位置は異なるが、交換用扉１１１を閉じると、アーム１１５の閉時、ストッパ部分１２７をレストランプリンタ本体１０１側のストッパ部分１２５が抑えこみ、印字時、必要な位置にシャフト１１４が固定される。
【００５３】
交換用扉１１１が開いた時、片持ち支持であるシャフト１１４は、交換用扉１１１が閉時、無線プリンタ本体１０１側の受け部１２６にて支えられ両端支持構造となり安定する。また、交換用扉１１１開時、前記説明したように感熱ロール紙が無い場合、シャフト１１８を中心にばね１２２により交換用扉１１１のフレーム１１７より浮き上がった位置にありフレーム１１７のストッパ部１２３に台座１１６のストッパ部１２４が押し当てられている。ここで、感熱ロール紙をシャフト１１４に挿入すると一体化したシャフト１１４、アーム１１５、台座１１６は感熱ロール紙の自重で下に下がり、前扉１１１のフレーム１１７に密着する。
【００５４】
この位置は、レストランプリンタ装置１０１の印字時の位置である。この状態で交換用扉１１１を閉じてもその閉じる動作の途中では自重で交換用扉１１１のフレーム１１７に台座１１６が密着しているが、閉じた時点でも前記のようにアーム１１５のストッパ部分１２７をレストランプリンタ本体１０１側のストッパ部分１２５が抑えこみ、印字時必要な位置にシャフト１１４が固定される。また、感熱ロール紙装着時においても、前記のように交換用扉１１１開時片持ち支持であるシャフト１１４は、交換用扉１１１閉時、レストランプリンタ本体１０１側の図４（ａ）に示すような受け部１２６にて支えられ両端支持構造となり安定する。
【００５５】
また、感熱ロール紙装着時、両端支持にするためのストッパ１２６（前記レストランプリンタ本体側のストッパ１２６）であるが、レストランプリンタ筐体側にて図５（ｂ）に示すようなＬ字形にリブを造形することで、下方への荷重を受けるのと同時に一体化したシャフト部分の動きを固定する作用が兼用できる。
【００５６】
なお、交換用扉に設けた上記シャフト、アーム、台座、付勢ばね構造等は図示した構造物に限定されるものではなく、本発明の主旨に基づくすべての構造物も含まれるものであることは言うまでもない。また、プリンタモジュールとして感熱用紙に印字を行うサーマルプリンタを例として説明したが、例えば、インクをノズルから噴射して印字を行うインクジェット方式の印字ヘッドを用いて、ロール状の記録用紙を保持し収納するようなレストランプリンタにも、本発明は適用可能である。
【００５７】
また、レストランプリンタを一例として説明したが、本発明に係るプリンタは、レストランにて使用される上記のようなプリンタのみでなく、本発明の主旨に沿って構成されるすべての用途のプリンタにも適用可能である。
【００５８】
【発明の効果】
以上説明したように、本発明により、感熱ロール紙のセット時に起こりうるロールたるみによる感熱ロール紙の搬送不良・印字伝票の左右端面の折れ曲がりを防止するだけではなく、印字時の感熱ロール紙の回転負荷が削減でき、それによりプラテンローラ駆動に必要なモータートルクに十分な余裕ができた。これは、印字位置の安定化につながり、モーターの消費電力の軽減にもなるという効果がある。また、感熱ロール紙の紙芯を保持することで、感熱ロール紙のロール外周面に接触することがなく、感熱面の損傷対策にもなるという効果がある。
【図面の簡単な説明】
【図１】本発明に係るレストランプリンタの横側面を示す断面図である。
【図２】本発明に係るレストランプリンタの斜視図である。
【図３】本発明に係るレストランプリンタの主要部を説明するための説明図である。
【図４】本発明に係るレストランプリンタのリブ構造を示す構造図である。
【図５】従来のレストランプリンタの断面図である。
【符号の説明】
１０１  レストランプリンタ
１０２  感熱ロール紙
１０３  プリンタモジュール
１０４  オートカッタ
１０５  伝票排出口
１０６  サーマルヘッド
１０７  プラテンローラ
１０８  可動刃
１０９  固定刃
１１０  印字された感熱ロール紙
１１１  交換用扉
１１２  ヒンジ
１１３  紙芯
１１４  シャフト
１１５  アーム
１１６  台座
１１７  フレーム
１１８  シャフト
１１９  アンテナ
１２０  制御基板
１２１  レストランプリンタ本体の筐体と未使用感熱ロール紙の干渉部分
１２２  ばね
１２３  フレームのストッパ
１２４  台座のストッパ
１２５  レストランプリンタ本体側ストッパ
１２６  レストランプリンタ本体側の受け部
１２７  アームのストッパ
１２８  レストランプリンタ本体に干渉しない感熱ロール紙の位置
【図１】
2004306356.tif 000003
【図２】
2004306356.tif 000004
【図３】
2004306356.tif 000005
【図４】
2004306356.tif 000006
【図５】
2004306356.tif 000007